(57)【要約】      （修正有）【課題】音声データを再生用デバイスに無線送信させる場合に、電源投入や、音楽の種類の選択や、選曲や、音量調節のための操作を、視覚を通じて直感的に行うことができる内蔵音声データ再生機を提供する。【解決手段】画像表示部２０と電源ボタン３０とを有し、音声データの記憶装置５０と、画像表示部の表示内容を制御する制御部６０と、音声再生用デバイス９０に音声データの信号を無線送信する通信用モジュール７０と、を備える。画像表示部に表示されるマークを選択することによって、音声データの信号を音声再生用デバイスに無線送信できる。画像表示部は、タッチセンサーで覆われたドットマトリックス式の表示部からなり、通信用モジュールは、ブルートゥース（登録商標）無線伝送技術に対応する音声再生用デバイスに音声データの信号を無線送信する。【選択図】図２
0003228484.tif 000002
【実用新案登録請求の範囲】
【請求項１】
筐体に画像表示部と電源ボタンとが設けられてなる内蔵音声データ再生機であって、
音声データの記憶装置と、画像表示部の表示内容を制御する制御部と、音声再生用デバイスに音声データの信号を無線送信するための通信用モジュールと、を備え、
画像表示部に表示されるマークを選択することによって上記記憶装置にあらかじめ内蔵されている音声データの信号を音声再生用デバイスに無線送信できるようにしてあることを特徴とする内蔵音声データ再生機。
【請求項２】
上記画像表示部が、透明なタッチセンサーで覆われたドットマトリックス式の表示部でなる請求項１に記載した内蔵音声データ再生機。
【請求項３】
上記制御部が、画像表示部の画面をホーム画面と動作制御画面とに切り換えるプログラムに従って動作し、
ホーム画面では、誘眠用音声データを選択するための第１モードボタンと休憩用音声データを選択するための第２モードボタンとの２つの相違するモードを表す２種類のマークを表示し、
動作制御画面では、ホーム画面上の２種類の上記マークのうちの１つが選択されたときに、選択されたマークに対応する選曲用マーク及び音量調節用マークを表示する請求項１又は請求項２に記載した内蔵音声データ再生機。
【請求項４】
上記制御部が、上記動作制御画面に、上記ホーム画面に戻るためのホーム復帰用マークを表示するプログラムに従って動作する請求項３に記載した内蔵音声データ再生機。
【請求項５】
上記通信用モジュールが、ブルートゥース（登録商標）無線伝送技術に対応するイヤホンなどの音声再生用デバイスに音声データの信号を無線送信する機能を有する請求項１ないし請求項４のいずれか１項に記載した内蔵音声データ再生機。
【考案の詳細な説明】
【技術分野】
【０００１】
本考案は、内蔵音声データ再生機、詳しくは、無線伝送技術に対応するイヤホンやスピーカなどの音声再生用デバイスに、記憶装置にあらかじめ内蔵されている複数の音声データから選択した音声データを、直感的なわかりやすい操作を通じて無線送信することができるようにした内蔵音声データ再生機に関する。
【背景技術】
【０００２】
従来、ブルートゥース（Ｂｌｕｅｔｏｏｔｈ）（ブルートゥース及びＢＬＵＥＴＯＯＴＨは登録商標：以下同様）無線伝送技術に対応する無線式イヤホンで再生される音楽などの音声データは、同技術に適合した音声データの無線送信手段を備えるスマートフォンやタブレットなどの電子機器によって送信していた。
【０００３】
先行例には、携帯式ブルートゥース音声拡張装置に関する記述がある（特許文献１参照）、この先行例には、市販されている多くの種類のブルートゥースイヤホンは、ブルートゥース携帯電話端末と対応し使用されること、ブルートゥース通信構造において、ブルートゥース携帯電話端末の着信音声情報はブルートゥースイヤホンに無線伝送されること、などが記載されている。また、他の先行例には、情報処理装置において、タッチセンサーを用いるアイコンのホバー操作を行いやすくするために、タッチセンサーによりホバー操作が検出された場合に、検出された位置に対応する表示領域上の位置にホバーマークを表示させる制御を行う制御部が、ホバーマークの表示サイズをアイコンの大きさに応じて変更する制御を行うようにすることが記載されている（特許文献２参照）。
【先行技術文献】
【特許文献】
【０００４】
【特許文献１】実用新案登録第３１３４０６５号公報（０００３、０００４、図１）
【特許文献２】特開２０１５−２１５８４０号公報
【考案の概要】
【考案が解決しようとする課題】
【０００５】
上記したように、従来は、スマートフォンやタブレットなどの電子機器を利用して音声データをイヤホンに送信し、ユーザはそのイヤホンを装着して音楽などを楽しむことが行われていた。しかしながら、スマートフォンやタブレットなどの電子機器は高価であるだけでなく、多くのアプリケーションの中から目的のアプリケーションを選択したり、聴きたい音楽をネットワークを利用してダウンロードしたりするという比較的複雑な操作を行うことを余儀なくされるので、特に高齢者にとっては使いこなすことに困難を伴うこともあったりして手軽に使用できるものではなかった。
【０００６】
また、特許文献１に記載されているものは、音声拡張方式ハンズフリー通話と有線イヤホン式ハンズフリー通話の機能を備える携帯式ブルートゥース音声拡張装置に係るものであり、直感的な操作性を改善することを意図しているものではない。さらに、特許文献２に記載されているものは、操作時に、ホバーマークの表示サイズをアイコンの大きさに応じて変更する制御を行うものではあるけれども、ホバー操作がタッチ操作に比べて特異な操作であるために、ホバーマークの表示サイズをアイコンの大きさに応じて変更することが直感的な操作性を改善するのに十分な対策であるとは云えないと考えられる。
【０００７】
本考案は、以上の状況に鑑みてなされたものであり、記憶装置にあらかじめ内蔵されている音声データの信号をイヤホンやスピーカなどの音声再生用デバイスに無線送信させる場合に、電源を投入したり、音声としての音楽の種類を選択したり、聴きたい音楽を選曲したり、音量を適度に調節したりする操作を、視覚を通じて直感的に容易にかつ確実に行うことのできる安価な内蔵音声データ再生機を提供することを目的としている。
【課題を解決するための手段】
【０００８】
本考案に係る内蔵音声データ再生機は、筐体に画像表示部と電源ボタンとが設けられてなる内蔵音声データ再生機であって、音声データの記憶装置と、画像表示部の表示内容を制御する制御部と、音声再生用デバイスに音声データの信号を無線送信するための通信用モジュールと、を備え、画像表示部に表示されるマークを選択することによって上記記憶装置にあらかじめ内蔵されている音声データの信号を音声再生用デバイスに無線送信できるようにしてある、というものである。
【０００９】
このように構成されている内蔵音声データ再生機によれば、音声再生用デバイスに無線送信される音声データがあらかじめ記憶装置に内蔵されているので、音声データをネットワークを利用してダウンロードしたりする煩わしい操作を行う必要がない。また、画像表示部に表示されるマークを選択するだけで音声再生用デバイスに音声データを無線送信することができ、しかも、画像表示部や電源ボタンが筐体に設けられているために、電源のオンオフ操作や画像表示部に表示されるマークの選択操作を、視覚を通じて直感的に容易にかつ確実に行うことができる。
【００１０】
本考案では、上記画像表示部が、透明なタッチセンサーで覆われたドットマトリックス式の表示部でなることが望ましい。これによれば、画像表示部に表示されるマークをタッチ操作により直感的に選択することが可能になる。
【００１１】
本考案では、上記制御部が、画像表示部の画面をホーム画面と動作制御画面とに切り換えるプログラムに従って動作し、ホーム画面では、誘眠用音声データを選択するための第１モードボタンと休憩用音声データを選択するための第２モードボタンとの２つの相違するモードを表す２種類のマークを表示し、動作制御画面では、ホーム画面上の２種類の上記マークのうちの１つが選択されたときに、選択されたマークに対応する選曲用マーク及び音量調節用マークを表示する、というのであってもよい。この構成を採用する場合に、制御部を動作させるプログラムは、内容の書き換えが可能なフラッシュメモリに格納したプログラムを好適に採用することができる。また、この構成を採用しておくと、画像表示部の画面のうち、ホーム画面では、直感的に誘眠用音声データを再生するか休憩用音声データを再生するかの選択操作を、第１モードボタン又は第２モードボタンのいずれかを選択するだけで視覚を通じて直感的に行うことができる。さらに、動作制御画面では、選曲用マーク及び音量調節用マークを視覚を通じて直感的に操作することが可能になる。
【００１２】
本考案では、上記制御部が、上記動作制御画面に、上記ホーム画面に戻るためのホーム復帰用マークを表示するプログラムに従って動作するものであることが望ましい。これによれば、画像表示部に動作制御画面を表示させた後、必要に応じてホーム画面に戻って誘眠用音声データや休憩用音声データを選択し直すことが、電源を切断したりすることなく、直感的に容易に可能になる。なお、動作制御画面にホーム画面に戻るためのホーム復帰用マークを表示するプログラムは、上記したフラッシュメモリに格納しておくことが可能である。
【００１３】
本考案では、上記通信用モジュールが、ブルートゥース無線伝送技術に対応するイヤホンなどの音声再生用デバイスに音声データの信号を無線送信する機能を有する、という構成をすることが可能である。この機能を通信用モジュールが備えていると、ブルートゥース無線伝送技術の特性により、低コスト、低消費電力で近距離無線送信が容易に可能になる。したがって、特に、睡眠や昼寝、休憩用として作成された音楽（サウンドトラック）を、最初の１回だけのペアリング操作によって気軽に楽しむことができる。
【考案の効果】
【００１４】
以上のように、本考案に係る内蔵音声データ再生機によれば、電源の投入を視覚を通じて直感的に操作することができるだけでなく、再生して聴きたい音声や音楽の選択や音量を画像表示部に表示されたマークを視覚を通じて直感的に選択操作することができる。そのため、複雑な選択操作やダウンロードを行うことに抵抗を感じるようなユーザ、特に高齢のユーザにとってもきわめて使いやすい内蔵音声データ再生機を提供することが可能になる。
【図面の簡単な説明】
【００１５】
【図１】本考案の実施形態に係る内蔵音声データ再生機の概略斜視図である。
【図２】本考案の実施形態に係る内蔵音声データ再生機の構成をブロック図を用いて例示した説明図である。
【図３】画像表示部に表示されたホーム画面の説明図である。
【図４】画像表示部に表示された動作制御画面の説明図である。
【考案を実施するための形態】
【００１６】
図１は本考案の実施形態に係る内蔵音声データ再生機の概略斜視図、図２はこの内蔵音声データ再生機の構成をブロック図を用いて例示した説明図である。
【００１７】
図１のように、内蔵音声データ再生機は、偏平な平面視矩形の筐体１０を有し、この筐体１０の片面のほぼ全体の領域に画像表示部２０を備え、筐体の側面の１箇所に電源ボタン３０を備えている。さらに、筐体１０には、ＵＳＢコネクタ接続口４０が設けられていて、このＵＳＢコネクタ接続口４０に充電用ケーブルを接続することによって内蔵バッテリを充電することができるようになっている。
【００１８】
図２に示したように、筐体１０には、音声データの記憶装置５０と、画像表示部２０の表示内容を制御する制御部６０と、音声再生用デバイス９０に音声データの信号を無線送信するための通信用モジュール７０とが内蔵されているほか、内容の書き換えが可能なフラッシュメモリ８０が内蔵されている。
【００１９】
この実施形態の内蔵音声データ再生機は誘眠用及び休憩用の音楽の再生に特化されている。このため、記憶装置５０には、誘眠用及び休憩用として役立つ音楽に係る音声データが格納されている。また、画像表示部２０は、ドットマトリックス式の液晶モニターの表面を透明なシート状のタッチセンサーで覆うことによって形成されている。制御部６０にはフラッシュメモリ８０が接続されていて、フラッシュメモリ８０に格納されたプログラムに基づき、制御部６０を介して画像表示部２０の表示内容が制御されるようになっている。通信用モジュール７０は、音声再生用デバイス９０に音声信号が無線送信する。
【００２０】
画像表示部２０の画面は、フラッシュメモリ８０に格納されたプログラムに従って動作する制御部６０によってホーム画面と動作制御画面とに切り換えられる。
【００２１】
図３は画像表示部２０に表示されたホーム画面の説明図、図４は画像表示部２０に表示された動作制御画面の説明図である。
【００２２】
図３のように、ホーム画面では、誘眠用音声データを選択するための第１モードボタン（ＳＬＥＥＰ）と休憩用音声データを選択するための第２モードボタン（ＲＥＳＴ）との２つの相違するモードを表す２種類のマークＭ１，Ｍ２が表示される。したがって、ユーザは、２種類のマークＭ１，Ｍ２をタッチ操作することによって、聴きたい音楽のジャンルを視覚を通じて直感的に選択することができる。通信用モジュール７０はブルートゥース無線伝送技術に対応している。このため、ホーム画面では、当該内蔵音声データ再生機とブルートゥース対応の音声再生用デバイス９０とをペアリングする際に使用されるマーク（ＢＴ）Ｍ３が併せて表示される。
【００２３】
図４のように、動作制御画面では、図３に示したホーム画面上の２種類のマークＭ１，Ｍ２のうちの１つが選択されたときに、選択されたマークに対応する２つの選曲用マークＭ４，Ｍ５及び音量調節用マークＭ６，Ｍ７が表示される。また、２つの選曲用マークＭ４，Ｍ５の間に、記憶装置５０（図２参照）に格納されている誘眠用として役立つ音楽に係る複数の音声データに各別に紐付けされた数字ａ、又は、記憶装置５０に格納されている休憩用として役立つ音楽に係る複数の音声データに各別に紐付けされた数字ａが表示される。そして、マークＭ４にタッチして選択すると数字ａが１つずつ小さくなり、マークＭ５にタッチして選択すると数字ａが１つずつ大きくなる。したがって、２つの選曲用マークＭ４，Ｍ５をタッチ操作することによって、視覚を通じて直感的に聴きたい音楽を選曲することが可能である。また、動作制御画面で表示される２つの音量調節用マークＭ６，Ｍ７の間に、着色部が棒状に伸縮する方式のインジケータｂが表示される。そして、マークＭ６にタッチして選択するとインジケータｂの着色部が縮小し、マークＭ７にタッチして選択するとインジケータｂの着色部が伸長する。したがって、２つの音量調節用マークＭ６，Ｍ７をタッチ操作することによって、視覚を通じて直感的に音楽の音量を調節することが可能である。
【００２４】
この実施形態では、図２に示した制御部６０が、図４の動作制御画面に、図３のホーム画面に戻るためのホーム復帰用マークＭを表示するプログラムに従って動作するようになっている。したがって、画像表示部２０に図４のように動作制御画面を表示させた後、必要に応じて図３のホーム画面に戻って誘眠用音声データや休憩用音声データを選択し直すことが、電源を切断したりすることなく、直感的に容易に可能になる。なお、動作制御画面にホーム画面に戻るためのホーム復帰用マークを表示するプログラムは、図３に示したフラッシュメモリ８０に格納しておくことが可能である。
【００２５】
この実施形態では、画像表示部２０の表示内容が、フラッシュメモリ８０に格納されたプログラムに基づき、制御部６０を介して制御されるようになっているけれども、この点は、フラッシュメモリ８０以外のＲＯＭ又ＲＡＭに格納されたプログラムに基づき、制御部６０を介して制御されるようになっていてもよい。
【００２６】
また、通信用モジュール７０は、実施形態のようにブルートゥース無線伝送技術に対応するイヤホンなどの音声再生用デバイスに音声データの信号を無線送信する機能を有することが望ましいけれども、必ずしもこれに限定されることはなく、ブルートゥース以外の無線伝送技術に対応するイヤホンなどの音声再生用デバイスに音声データの信号を無線送信する機能を有するものであってもよい。
【００２７】
本考案に係る内蔵音声データ再生機から送信された音声データを受信するための相手方音声再生用デバイスとしては、ブルートゥース対応のイヤホンやスピーカ、ヘッドセットを挙げることができる。そして、それらのイヤホンやスピーカ、ヘッドセットは、本考案に係る内蔵音声データ再生機の相手方音声再生用デバイスとして使用されることに限定されず、スマートフォンやパソコンなどを送信源として使用することも可能である。
【符号の説明】
【００２８】
１０  筐体
２０  画像表示部
３０  電源ボタン
５０  記憶装置
６０  制御部
７０  通信用モジュール
９０  音声再生用デバイス
Ｍ，Ｍ１〜Ｍ６  マーク
【図１】
0003228484.tif 000003
【図２】
0003228484.tif 000004
【図３】
0003228484.tif 000005
【図４】
0003228484.tif 000006
【手続補正書】
【提出日】令和2年7月22日(2020.7.22)
【手続補正１】
【補正対象書類名】実用新案登録請求の範囲
【補正対象項目名】請求項５
【補正方法】変更
【補正の内容】
【請求項５】
上記通信用モジュールが、ブルートゥース（登録商標）無線伝送技術に対応するイヤホン又はスピーカー又はヘッドセットの音声再生用デバイスに音声データの信号を無線送信する機能を有する請求項１ないし請求項４のいずれか１項に記載した内蔵音声データ再生機。
【手続補正２】
【補正対象書類名】明細書
【補正対象項目名】００１３
【補正方法】変更
【補正の内容】
【００１３】
本考案では、上記通信用モジュールが、ブルートゥース無線伝送技術に対応するイヤホン又はスピーカー又はヘッドセットの音声再生用デバイスに音声データの信号を無線送信する機能を有する、という構成をすることが可能である。この機能を通信用モジュールが備えていると、ブルートゥース無線伝送技術の特性により、低コスト、低消費電力で近距離無線送信が容易に可能になる。したがって、特に、睡眠や昼寝、休憩用として作成された音楽（サウンドトラック）を、最初の１回だけのペアリング操作によって気軽に楽しむことができる。